(57)【要約】【課題】  作業者がかごの上に乗って保守・点検等の作業を行なう場合にかごをガイドレールに固定する固定装置を備えたものにおいて、固定装置が作動していることを検出するスイッチの取り付けを容易にすること。【解決手段】  ガイドレール２の所望の位置に、係合穴１０を有する係合板９を設ける。かご３には係合穴１０に係合する方向に移動可能であって、この移動可能な方向を軸として回動可能な係合軸１６を設ける。そして、係合軸１６と相対移動可能なように案内子３３を係合軸１６に設ける。また、かご３には案内子３３の係合軸１６の軸回りの回転を阻止するとともに案内子３３の軸方向への移動を許容するガイド穴３２を設ける。更に案内子３３の軸方向への移動を検出するスイッチ４０を設けた。【選択図】      図１
2014061968.tif 000002
【特許請求の範囲】
【請求項１】
係合部を有し、エレベータの昇降路内に立設されたガイドレールに取り付けられた係合体と、
前記ガイドレールに沿って昇降するかごに取り付けられ、前記係合部に係合する前進位置と前記係合部に係合しない後退位置とに移動可能であって、前記移動可能な方向を軸として回動可能な係合軸と、を備えたエレベータにおいて、
前記係合軸には該係合軸と相対移動可能な案内子が設けられ、前記かごには前記案内子の前記軸回りの回転を阻止するとともに前記案内子の前記軸方向への移動を許容するガイドが設けられるとともに、前記案内子の前記軸方向への移動を検出する検出装置が設けられていることを特徴とするエレベータのかご固定装置。
【請求項２】
前記係合軸は回動可能に外装ケースに保持されるとともに、この外装ケースと前記検出装置とはガイド板に取り付けられており、このガイド板には前記案内子を前記軸方向に案内するガイド穴が設けられていることを特徴とする請求項１に記載のエレベータかごの固定装置。
【請求項３】
前記係合軸は回動可能に外装ケースに保持されるとともに、前記係合軸には操作突起が設けられ、前記外装ケースには前記操作突起が係合可能な係合溝が係合軸の軸方向に３以上形成されており、前記操作突起を前記係合溝に係合することにより、前記係合軸を保持する構成であることを特徴とする請求項１又は２に記載のエレベータかごの固定装置。
【請求項４】
前記案内子には反係合体側に突出した操作子が設けられ、前記検出装置には前記操作子が挿入可能な空間が設けられており、前記検出装置は前記操作子が前記空間内に存在するか否かを検出する装置であることを特徴とする請求項１乃至３の何れかに記載のエレベータかごの固定装置。
【発明の詳細な説明】
【技術分野】
【０００１】
本発明は、作業員がエレベータのかご上に乗って作業をするときに、かごが昇降しないようにする装置に関するものである。
【背景技術】
【０００２】
エレベータの保守・点検においては、作業員がかご上に乗って作業を行なう場合に、かごが昇降しないようにかごを昇降路内に固定しておくことがある。このかごを昇降路内に固定しておくかご固定装置としては、例えば特許文献１に記載されたものがある。
【０００３】
特許文献１に記載されたかご固定装置を図３及び図３の要部説明図である図４により説明する。
図において、１はエレベータ昇降路で、この昇降路１内には一対のガイドレール２，２が立設され、ガイドレール２，２に沿って昇降すかご３が設置されている。尚、昇降路１内にはカウンターウェイト及びそのガイドレールも設置されているがここでは図示省略している。
【０００４】
４はかご枠で、その四隅にはガイドシュー５が設けられ、これらのガイドシュー５はガイドレール２に摺動可能に係合されている。６はかご枠４とカウンターウェイトとを連結する主ロープである。
７はボルト・ナットからなる締結具８によってガイドレール２に固定された支持板で、上下方向に複数の連結穴１１が空けられている。９は上下方向に複数の係合穴１０と連結穴１２が空けられた係合板で、連結穴１１と連結穴１２とをボルト・ナットからなる締結具１３で連結することにより、支持板７に対して係合板９を上下方向に調節可能に取り付けることができる。
【０００５】
１５はかご枠４に取り付けられた固定装置で、係合軸１６と外装ケース１８とを有している。係合軸１６は円柱状の丸棒部材により形成され、軸を係合板９に向けて水平に配置され、軸方向に進退可能で軸回りに回動可能に外装ケース１８に保持されている。１７は係合軸１６に設けられた操作突起であり、係合軸１６を軸回りに回動させ及び係合軸１６を軸方向に前進・後退させる場合に作業員が把持して使用するものである。
１９ａ，１９ｂは外装ケース１８に形成された係合溝であり、操作突起１７をいずれかの係合溝１９ａ，１９ｂに係合させることにより、係合軸１６の軸方向の位置を固定することができる。
【０００６】
通常の状態では、図３，図４に示すように操作突起１７は係合溝１９ａに係合して、係合軸１６は後退位置にあり、係合軸１６は係合板９と干渉することはない。
保守・点検などのために、かご３を昇降路１内に固定する場合には、まず係合軸１６が何れかの係合穴１０に対向する位置でかご３を停止させる。
次にかご３の上に乗った作業員が、操作突起１７を軸回りに回転させて、係合溝１９ａとの係合を解除する。そして、係合軸１６を係合穴１０の方向へ移動（前進）させて、係合軸１６の先端を係合穴１０に係合（挿入）する。更に係合軸１６を軸回りに回転して、係合溝１９ｂに係合させる。
【０００７】
これにより、係合軸１６の先端部が係合穴１０に係合した状態が保持されるため、かご３が昇降することはない。
またかご３の固定位置を変更する場合には、係合軸１６を他の係合穴１０に係合させる。かご３の固定位置を更に変更する場合には、支持板７への係合板９の連結位置を変更すればよい。
【０００８】
ところで、前記装置を使用してかご３を固定する場合、係合軸１６の係合穴１０との着脱作業中などに、不意にかご３が動き出すことを防止するために、係合軸１６の移動を検出するスイッチを設ける場合がある。
このスイッチを設けた例を図５により説明する。図５（ａ）は概略平面図、図５（ｂ）は側面図であり、図３，図４と同一符号は同一のものを示している。
【０００９】
図において、２０は固定装置１５をかご枠４に取り付ける取付金具であり、この例では固定装置２０はかご枠４の側方上部に配置されている。１６ａは係合軸１６の反係合穴１０側に形成した切欠部、２１はスイッチ２２をかご枠４に取り付けるブラケットである。２３は先端にローラ２４が枢着された作動レバーであり、ローラ２４が切欠部１６ａに接している場合にはスイッチ２２はＯＮ、ローラ２４が切欠部１６ａから外れるとスイッチ２２はＯＦＦとなり、かご３の駆動電源を落とすようになっている。
また二点鎖線は操作突起１７が係合溝１９ｂと係合して、係合軸１６が係合穴１０と係合した状態を示している。尚スイッチ２２の動作と支持板７の有無とは直接関係しないため、ここでは支持板７は省略している。
【００１０】
この構成であれば、係合軸１６が所定距離以上係合穴１０方向（図５（ａ）の左方向）に移動するとスイッチ２２はＯＦＦとなるため、不意にかご３が動き出すことを防止することができる。
【先行技術文献】
【特許文献】
【００１１】
【特許文献１】特開２０１１−５１７３３号公報
【発明の概要】
【発明が解決しようとする課題】
【００１２】
前記の構成では、ローラ２４は図５（ａ）の紙面方向を軸として作動レバー２３に枢着されているため、係合軸１６がその軸方向（図５（ａ）の左右方向）に移動するときには、ローラ２４は切欠部１６ａ上を転動するが、操作突起１７を係合溝１９ａ，１９ｂから外すために、係合軸１６を軸回りに回動させるとローラ２４には無理な力が掛かり、ローラ２４を痛める恐れがあるという問題がある。
また、係合軸１６は軸方向の直線運動と軸回りの回転運動とを行なうため、スイッチ２２を最適な位置に取付・調節することが難しく、更にローラ２４の取付方向を変更しても、ローラ２４には無理な力が掛かってしまう。
【００１３】
更に、スイッチ２２の代わりに光ビームを使った光電装置を設置することも考えられるが、この場合、作業中に作業員や他の異物によって光ビームが遮られるなどの誤検出が発生する可能性が懸念される。そのため、本件のような高い安全性が要求される箇所に光電装置を設置するのは、好ましいとはいえない。
【課題を解決するための手段】
【００１４】
本発明は、係合部を有し、エレベータの昇降路内に立設されたガイドレールに取り付けられた係合体と、ガイドレールに沿って昇降するかごに取り付けられ、前記係合部に係合する前進位置と前記係合部に係合しない後退位置とに移動可能であって、前記移動可能な方向を軸として回動可能な係合軸と、を備えたエレベータにおいて、前記係合軸には該係合軸と相対移動可能な案内子が設けられ、かごには前記案内子の軸回りの回転を阻止するとともに前記案内子の前記軸方向への移動を許容するガイドが設けられるとともに、前記案内子の前記軸方向への移動を検出する検出装置が設けられているものである。
【００１５】
また本発明は、前記係合軸は回動可能に外装ケースに保持されるとともに、この外装ケースと前記検出装置とはガイド板に取り付けられており、このガイド板には前記案内子を前記軸方向に案内するガイド穴が設けられているものである。
更に本発明は、前記係合軸は回動可能に外装ケースに保持されるとともに、前記係合軸には操作突起が設けられ、前記外装ケースには前記操作突起が係合可能な係合溝が係合軸の軸方向に３以上形成されており、前記操作突起を前記係合溝に係合することにより、前記係合軸を保持する構成としたものである。
更にまた本発明は、前記案内子には反係合体側に突出した操作子が設けられ、前記検出装置には前記操作子が挿入可能な空間が設けられており、前記検出装置は前記操作子が前記空間内に存在するか否かを検出する装置としたものである。
【発明の効果】
【００１６】
本発明によれば、係合軸の案内子は回動しないので、スイッチの位置調節が容易で、スイッチに無理な力が掛かることを防止することができる。
【図面の簡単な説明】
【００１７】
【図１】本発明の実施の形態を示す平面図及び側面図である。
【図２】本発明の他の実施の形態を示す平面図である。
【図３】従来のエレベータを示す斜視図である。
【図４】図３の要部説明図である。
【図５】従来のエレベータのかご固定装置を示す平面図である。
【発明を実施するための形態】
【００１８】
本発明の実施の形態を図により説明する。図１は固定装置をかご枠に取り付けた状態を示す図で、図１（ａ）は平面図、図１（ｂ）は側面図であり、各図において図４，図５と同一符号は同一のものを示している。
【００１９】
図において、３０は本実施の形態における固定装置であり、かご枠４の側面に固定されている。また外装ケース１８の下部には係合溝１９ａ，１９ｂ，１９ｃが形成されている。３１は外装ケース１８の上面に固定されたガイド板、３２はガイド板３１に形成されたガイド穴、３３はボルト３４によって、係合軸１６の反係合穴１０側に枢着された案内子で、その上部はガイド穴３２に挿入されている。３５は反係合穴１０側に突出するように、案内子３３に設けられた操作子である。
【００２０】
４０はガイド板３１の下面に取り付けられたスイッチであり、その上部には空間４１を有し、この空間４１内に操作子３５が存在するか否かによってＯＮ，ＯＦＦする。
【００２１】
通常の状態では、実線で示すように、操作突起１７は係合溝１９ａに係合しており、係合軸１６は係合穴１０から離脱した後退位置にあり、操作子３５はスイッチ４０の空間４１内に挿入されているため、スイッチ４０はＯＮ状態を維持している。
【００２２】
保守・点検などでかご３を固定する場合には、かご３の上に乗った作業員が、操作突起１７を軸回りに回転させて係合溝１９ａから外す。このとき、案内子３３はその上部がガイド穴３２に挿入されているため回転することはない。そして係合軸１６を係合穴１０の方向（図１の左方向）へ移動させると案内子３３もガイド穴３２に沿って左方向へ移動し、操作子３５は空間４１から抜ける。これによってスイッチ４０はＯＦＦとなる。更に二点鎖線で示すように、操作突起１７を係合溝１９ｂ又は１９ｃに係合することによって、係合軸１６は係合穴１０と係合した状態を維持する。
【００２３】
ここで、係合溝が１９ｂ、１９ｃと二つある理由は、固定装置１６と係合穴１０との距離の大小や係合穴１０の背面（図１の左側）の空間の大小に応じて、係合軸１６の係合穴１０側の突出量を選択できるようにするためである。従ってそのような考慮が不要の場合には、係合溝１９ｂ又は１９ｃのいずれか一方を備えておればよい。逆に種々のタイプのエレベータに適用できるように、係合溝を増やすこともできる。
【００２４】
この構成であれば、スイッチ４０を作動させる操作子３５は回動することはなく、スイッチ４０に接近・離反するのみであるから、前記の従来例のようにスイッチを痛めることがない。
また係合軸１６とスイッチ４０は、共にガイド板３１に取り付けられており、しかも案内子３３はガイド板３１のガイド穴３２によって動きを規制されているため、予め工場でスイッチ４０の空間４１と操作子３５との調整をしておけば、現場で改めて調整をする必要がない。また、もし現場で調整をする必要が生じたとしても、容易に調整を行なうことができる。
【００２５】
更に、操作子３５は空間４１に挿入する構成であり、操作子３５と空間４１との軸方向（図１の左右方向）の重なり代も比較的大きいため、係合軸１６や外装ケース１８の製作誤差や据付誤差があっても問題なく実用でき、また係合軸１６とスイッチ４０との位置調節も精密さを要求されることはない。
更にまた、スイッチ４０の空間４１に操作子３５を挿入する構成であるため、作業中にスイッチ４０が誤検出をする可能性はほとんどなく、高い安全性を確保することができる。
【００２６】
前記の実施の形態においては、スイッチ４０を係合軸１６の反係合穴１０側に対向して配置しているが、係合軸１６の円周面に対向して配置することもできる。
例えば図１（ａ）に相当する図２に示すように、案内子３３ａの軸方向（図２の左右方向）の厚さを厚くし、この案内子３３ａの円周面にスイッチ５０のローラ５１が接するように配置する。この構成によれば、案内子３３ａの厚さが厚いため、スイッチ５０と案内子３３ａとの位置調節は精密さを要求されることはない。
【００２７】
前記の各実施の形態では、係合軸１６は円柱形をしているが、円柱に限ることはなく、軸方向に移動可能で軸回りに回動可能であればよい。
また、案内子３３は係合軸１６に枢着される必要はなく、係合軸１６の軸回りの回動には追従せず、軸方向の動きには追従する構成であればよい。
更に、係合穴１０は穴に限る必要はなく、係合軸１６の上下動を阻止できれば、切り欠きなど他の形状であってもよい。
【符号の説明】
【００２８】
２  ガイドレール
３  かご
４  かご枠
９  係合板（係合体）
１０  係合穴（係合部）
１５，３０  固定装置
１６  係合軸
１７  操作突起
１８  外装ケース
１９ａ，１９ｂ，１９ｃ  係合溝
２２，４０，５０  スイッチ（検出装置）
３１  ガイド板
３２  ガイド穴
３３，３３ａ  案内子
３４  ボルト
３５  操作子
４１  空間
【図１】
2014061968.tif 000003
【図２】
2014061968.tif 000004
【図３】
2014061968.tif 000005
【図４】
2014061968.tif 000006
【図５】
2014061968.tif 000007